(57)【要約】  車両用ＬＥＤランプ点灯回路は、車両に積載されるＬＥＤランプの点灯を制御する車両用ＬＥＤランプ点灯回路であって、一端が、電源電圧が供給される電源線に接続され、他端が第１の接点に接続された第１の抵抗と、少なくとも１つ以上の第１のＬＥＤ素子で構成され、一端が基準ノードに接続され、他端が、第２の接点及び接地された接地線に接続された第１のＬＥＤランプと、基準ノードと、第１の接点との間が導通した第１の状態と、基準ノードと、第２の接点との間が導通した第２の状態とを切り換える被水スイッチ装置と、を備える。
2016157319.tif 000002
【特許請求の範囲】
【請求項１】
車両に積載されるＬＥＤランプの点灯を制御する車両用ＬＥＤランプ点灯回路であって、
一端が、電源電圧が供給される電源線に接続され、他端が第１の接点に接続された第１の抵抗と、
少なくとも１つ以上の第１のＬＥＤ素子で構成され、一端が基準ノードに接続され、他端が、第２の接点及び接地された接地線に接続された第１のＬＥＤランプと、
前記基準ノードと、前記第１の接点との間が導通した第１の状態と、前記基準ノードと、前記第２の接点との間が導通した第２の状態とを切り換える被水スイッチ装置と、を備える
ことを特徴とする車両用ＬＥＤランプ点灯回路。
【請求項２】
前記被水スイッチ装置を前記第１の状態に切り換えることにより、前記第１のＬＥＤランプを点灯させ、
前記被水スイッチ装置を前記第２の状態に切り換えることにより、前記第１のＬＥＤランプの前記一端と前記他端とを同電位にして、前記第１のＬＥＤランプを消灯させる
ことを特徴とする請求項１に記載の車両用ＬＥＤランプ点灯回路。
【請求項３】
一端が前記基準ノードに接続され、他端が前記第２の接点に接続されたコンデンサをさらに備え、
前記被水スイッチ装置を前記第１の状態に切り換えることにより、前記第１のＬＥＤランプを点灯させつつ、前記コンデンサを充電し、
前記被水スイッチ装置を前記第２の状態に切り換えることにより、前記第１のＬＥＤランプの前記一端と前記他端とを同電位にして、前記第１のＬＥＤランプを消灯させつつ、前記コンデンサを放電させて、前記基準ノードと前記第２の接点との間に電流を流す
ことを特徴とする請求項２に記載の車両用ＬＥＤランプ点灯回路。
【請求項４】
前記第１の接点および前記第２の接点の表面は、Ｃｕ又はＡｌを含む金属で覆われていることを特徴とする請求項３に記載の車両用ＬＥＤランプ点灯回路。
【請求項５】
一端が前記電源線に接続された第２の抵抗と、
少なくとも１つ以上の第２のＬＥＤ素子で構成され、一端が前記第２の抵抗の他端に接続され、他端が前記接地線に接続された第２のＬＥＤランプと、をさらに備える
ことを特徴とする請求項２に記載の車両用ＬＥＤランプ点灯回路。
【請求項６】
前記被水スイッチ装置を前記第１の状態に切り換えることにより、前記第２のＬＥＤランプを点灯させつつ、前記第１のＬＥＤランプを点灯させ、
前記被水スイッチ装置を前記第２の状態に切り換えることにより、前記第２のＬＥＤランプを点灯させつつ、前記第１のＬＥＤランプの前記一端と前記他端とを同電位にして、前記第１のＬＥＤランプを消灯させる
ことを特徴とする請求項５に記載の車両用ＬＥＤランプ点灯回路。
【請求項７】
前記被水スイッチ装置が被水することにより、前記被水スイッチ装置の前記第１の接点と前記第２の接点との間にリーク電流が流れる
ことを特徴とする請求項２に記載の車両用ＬＥＤランプ点灯回路。
【請求項８】
前記被水スイッチ装置に前記リーク電流が流れる状態になっても、前記被水スイッチ装置を前記第２の状態に切り換えていることにより、前記第１のＬＥＤランプの前記一端と前記他端とが同電位になり、前記第１のＬＥＤランプには電流が流れない
ことを特徴とする請求項７に記載の車両用ＬＥＤランプ点灯回路。
【請求項９】
前記被水スイッチ装置の前記第１の接点と前記第２の接点との間に流れる前記リーク電流の値は、前記第１のＬＥＤランプを点灯させることが可能な駆動電流の値よりも大きい
ことを特徴とする請求項８に記載の車両用ＬＥＤランプ点灯回路。
【請求項１０】
前記被水スイッチ装置は、ユーザにより操作されることにより、前記第１の状態と前記第２の状態とを切り換える
ことを特徴とする請求項８に記載の車両用ＬＥＤランプ点灯回路。
【請求項１１】
前記車両用ＬＥＤランプ点灯回路は、二輪車に積載され、
前記第１のＬＥＤランプ及び／又は前記第２のＬＥＤランプは、前記二輪車のヘッドライト、ウインカー、テールランプ、ポジションランプ、メータイルミネーションの何れかであり、
前記被水スイッチ装置は、前記第１のＬＥＤランプの点灯を制御するための前記二輪車の機械式のハンドルスイッチである
ことを特徴とする請求項３に記載の車両用ＬＥＤランプ点灯回路。
【請求項１２】
前記被水スイッチ装置が被水することにより、前記第１の接点および前記第２の接点が被水して、前記第１の接点と前記第２の接点との間が電気的に導通して前記リーク電流が流れる
ことを特徴とする請求項７に記載の車両用ＬＥＤランプ点灯回路。
【請求項１３】
前記電源電圧の値は、一定の値に制御されていることを特徴とする請求項４に記載の車両用ＬＥＤランプ点灯回路。
【請求項１４】
前記第１の抵抗は、前記第１の状態において、前記電源電圧が供給される前記電源線から前記第１のＬＥＤランプに供給される駆動電流が予め設定された第１の規定値になる抵抗値に設定され、
前記第２の抵抗は、前記電源電圧が供給される前記電源線から前記第２のＬＥＤランプに供給される駆動電流が予め設定された第２の規定値になる抵抗値に設定されている
ことを特徴とする請求項１１に記載の車両用ＬＥＤランプ点灯回路。
【請求項１５】
前記第１のＬＥＤランプの前記一端は、前記第１のＬＥＤ素子のアノード側が接続され、前記第１のＬＥＤランプの前記他端は、前記第１のＬＥＤ素子のカソード側が接続されている
ことを特徴とする請求項１２に記載の車両用ＬＥＤランプ点灯回路。
【請求項１６】
車両に積載されるＬＥＤランプの点灯を制御する車両用ＬＥＤランプ点灯装置であって、
一端が電源線に接続され、他端が第１の接点に接続された第１の抵抗と、
少なくとも１つ以上の第１のＬＥＤ素子で構成され、一端が基準ノードに接続され、他端が、第２の接点及び接地された接地線に接続された第１のＬＥＤランプと、
前記基準ノードと、前記第１の接点との間が導通した第１の状態と、前記基準ノードと、前記第２の接点との間が導通した第２の状態とを切り換える被水スイッチ装置と、
前記電源線に一定の電源電圧を供給する電源回路と、を備える
ことを特徴とする車両用ＬＥＤランプ点灯装置。
【請求項１７】
車両に積載されるＬＥＤランプの点灯を制御する車両用ＬＥＤランプ点灯回路であって、一端が、電源電圧が供給される電源線に接続され、他端が第１の接点に接続された第１の抵抗と、少なくとも１つ以上の第１のＬＥＤ素子で構成され、一端が基準ノードに接続され、他端が、第２の接点及び接地された接地線に接続された第１のＬＥＤランプと、前記基準ノードと、前記第１の接点との間が導通した第１の状態と、前記基準ノードと、前記第２の接点との間が導通した第２の状態とを切り換える被水スイッチ装置と、を備える車両用ＬＥＤランプ点灯回路の制御方法において、
前記被水スイッチ装置を前記第１の状態に切り換えることにより、前記第１のＬＥＤランプを点灯させ、
前記被水スイッチ装置を前記第２の状態に切り換えることにより、前記第１のＬＥＤランプの前記一端と前記他端とを同電位にして、前記第１のＬＥＤランプを消灯させる
ことを特徴とする車両用ＬＥＤランプ点灯回路の制御方法。
【発明の詳細な説明】
【技術分野】
【０００１】
本発明は、車両用ＬＥＤランプ点灯回路、車両用ＬＥＤランプ点灯装置、および車両用ＬＥＤランプ点灯回路の制御方法に関する。  
【背景技術】
【０００２】
一般に、ＬＥＤ(Ｌｉｇｈｔ Ｅｍｉｔｔｉｎｇ Ｄｉｏｄｅ) ランプは、低電圧で点灯することができ、フィラメント灯（バルブランプ）などと比較して長寿命、低消費電力、素早い反応速度、及び耐衝撃性を有しており、小型、軽量化を図ることができる。このため、ＬＥＤランプは、例えば、車両のヘッドランプなどに好適に用いることができる。【０００３】
このような、ＬＥＤランプの点灯装置の一例として、例えば、特開２０１４−６９６９４号や特許第５５７７４５７号に示すようなＬＥＤランプ点灯制御装置がある。 この従来のＬＥＤランプ点灯制御装置は、ＬＥＤランプの点灯／消灯を制御する被水スイッチ装置ＳＷａを備える（図１４）。【０００４】
ここで、例えば、従来のバルブランプのランプ点灯回路では、ランプの点灯／消灯を制御する被水スイッチ装置ＳＷａがオフ時に被水して、リーク電流が被水スイッチ装置ＳＷａに流れる場合がある。この場合でも、リーク電流が小さいため、バルブランプは点灯しない（図１３）。【０００５】
しかし、既述の従来の車両用ＬＥＤランプ点灯回路では、ＬＥＤランプの点灯を制御する被水スイッチ装置ＳＷａが被水することにより、この被水スイッチ装置ＳＷａにリーク電流が流れる。このリーク電流が小さくても、ＬＥＤ素子が発光してしまうため、ＬＥＤランプが誤点灯することとなる（図１４）。【０００６】
このため、従来の車両用ＬＥＤランプ点灯回路では、リーク電流を防ぐ外部回路を備えた被水スイッチ装置ＳＷや、防水機能を有する被水スイッチ装置を適用することにより、ＬＥＤランプの誤点灯を抑制していた。【０００７】
しかし、このような被水スイッチ装置は、高価となるため、車両用ＬＥＤランプ点灯回路の製造コストが増加する問題がある。
【発明の開示】
【発明が解決しようとする課題】
【０００８】
そこで、本発明は、製造コストを削減しつつ、ＬＥＤランプの点灯を制御する被水スイッチ装置に流れるリーク電流によるＬＥＤランプの誤点灯を抑制することが可能な車両用ＬＥＤランプ点灯回路を提供することを目的とする。
【課題を解決するための手段】
【０００９】
本発明の一態様に係る実施例に従った車両用ＬＥＤランプ点灯回路は、  
車両に積載されるＬＥＤランプの点灯を制御する車両用ＬＥＤランプ点灯回路であって、
一端が、電源電圧が供給される電源線に接続され、他端が第１の接点に接続された第１の抵抗と、
少なくとも１つ以上の第１のＬＥＤ素子で構成され、一端が基準ノードに接続され、他端が、第２の接点及び接地された接地線に接続された第１のＬＥＤランプと、
前記基準ノードと、前記第１の接点との間が導通した第１の状態と、前記基準ノードと、前記第２の接点との間が導通した第２の状態とを切り換える被水スイッチ装置と、を備える
ことを特徴とする。【００１０】
前記車両用ＬＥＤランプ点灯回路において、
前記被水スイッチ装置が前記第１の状態に切り換えることにより、前記第１のＬＥＤランプを点灯させ、
前記被水スイッチ装置を前記第２の状態に切り換えることにより、前記第１のＬＥＤランプの前記一端と前記他端とを同電位にして、前記第１のＬＥＤランプを消灯させる
ことを特徴とする。【００１１】
前記車両用ＬＥＤランプ点灯回路において、
一端が前記基準ノードに接続され、他端が前記第２の接点に接続されたコンデンサをさらに備え、
前記被水スイッチ装置を前記第１の状態に切り換えることにより、前記第１のＬＥＤランプを点灯させつつ、前記コンデンサを充電し、
前記被水スイッチ装置を前記第２の状態に切り換えることにより、前記第１のＬＥＤランプの前記一端と前記他端とを同電位にして、前記第１のＬＥＤランプを消灯させつつ、前記コンデンサを放電させて、前記基準ノードと前記第２の接点との間に電流を流す
ことを特徴とする。【００１２】
前記車両用ＬＥＤランプ点灯回路において、
前記第１の接点および前記第２の接点の表面は、Ｃｕ又はＡｌを含む金属で覆われていることを特徴とする。【００１３】
前記車両用ＬＥＤランプ点灯回路において、
一端が前記電源線に接続された第２の抵抗と、
少なくとも１つ以上の第２のＬＥＤ素子で構成され、一端が前記第２の抵抗の他端に接続され、他端が前記接地線に接続された第２のＬＥＤランプと、をさらに備える
ことを特徴とする。【００１４】
前記車両用ＬＥＤランプ点灯回路において、
前記被水スイッチ装置を前記第１の状態に切り換えることにより、前記第２のＬＥＤランプを点灯させつつ、前記第１のＬＥＤランプを点灯させ、
前記被水スイッチ装置を前記第２の状態に切り換えることにより、前記第２のＬＥＤランプを点灯させつつ、前記第１のＬＥＤランプの前記一端と前記他端とを同電位にして、前記第１のＬＥＤランプを消灯させる
ことを特徴とする。【００１５】
前記車両用ＬＥＤランプ点灯回路において、
前記被水スイッチ装置を被水することにより、前記被水スイッチ装置の前記第１の接点と前記第２の接点との間にリーク電流が流れる
ことを特徴とする。【００１６】
前記車両用ＬＥＤランプ点灯回路において、
前記被水スイッチ装置に前記リーク電流が流れる状態になっても、前記被水スイッチ装置を前記第２の状態に切り換えていることにより、前記第１のＬＥＤランプの前記一端と前記他端とが同電位になり、前記第１のＬＥＤランプには電流が流れない
ことを特徴とする。【００１７】
前記車両用ＬＥＤランプ点灯回路において、
前記被水スイッチ装置の前記第１の接点と前記第２の接点との間に流れる前記リーク電流の値は、前記第１のＬＥＤランプを点灯させることが可能な駆動電流の値よりも大きい
ことを特徴とする。【００１８】
前記車両用ＬＥＤランプ点灯回路において、
前記被水スイッチ装置は、ユーザにより操作されることにより、前記第１の状態と前記第２の状態とを切り換える
ことを特徴とする。【００１９】
前記車両用ＬＥＤランプ点灯回路において、
前記車両用ＬＥＤランプ点灯回路は、二輪車に積載され、
前記第１のＬＥＤランプ及び／又は前記第２のＬＥＤランプは、前記二輪車のヘッドライト、ウインカー、テールランプ、ポジションランプ、メータイルミネーションの何れかであり、
前記被水スイッチ装置は、前記第１のＬＥＤランプの点灯を制御するための前記二輪車の機械式のハンドルスイッチである
ことを特徴とする。【００２０】
前記車両用ＬＥＤランプ点灯回路において、
前記被水スイッチ装置が被水することにより、前記第１の接点および前記第２の接点が被水して、前記第１の接点と前記第２の接点との間が電気的に導通して前記リーク電流が流れる
ことを特徴とする。【００２１】
前記車両用ＬＥＤランプ点灯回路において、
前記電源電圧の値は、一定の値に制御されていることを特徴とする。【００２２】
前記車両用ＬＥＤランプ点灯回路において、
前記第１の抵抗は、前記第１の状態において、前記電源電圧が供給される前記電源線から前記第１のＬＥＤランプに供給される駆動電流が予め設定された第１の規定値になる抵抗値に設定され、
前記第２の抵抗は、前記電源電圧が供給される前記電源線から前記第２のＬＥＤランプに供給される駆動電流が予め設定された第２の規定値になる抵抗値に設定されている
ことを特徴とする。【００２３】
前記車両用ＬＥＤランプ点灯回路において、
前記第１のＬＥＤランプの前記一端は、前記第１のＬＥＤ素子のアノード側が接続され、前記第１のＬＥＤランプの前記他端は、前記第１のＬＥＤ素子のカソード側が接続されている
ことを特徴とする。【００２４】
本発明の一態様に係る実施例に従った車両用ＬＥＤランプ点灯装置は、
車両に積載されるＬＥＤランプの点灯を制御する車両用ＬＥＤランプ点灯装置であって、
一端が電源線に接続され、他端が第１の接点に接続された第１の抵抗と、
少なくとも１つ以上の第１のＬＥＤ素子で構成され、一端が基準ノードに接続され、他端が、第２の接点及び接地された接地線に接続された第１のＬＥＤランプと、
前記基準ノードと、前記第１の接点との間が導通した第１の状態と、前記基準ノードと、前記第２の接点との間が導通した第２の状態とを切り換える被水スイッチ装置と、
前記電源線に一定の電源電圧を供給する電源回路と、を備える
ことを特徴とする。【００２５】
本発明の一態様に係る実施例に従った車両用ＬＥＤランプ点灯回路の制御方法は、
車両に積載されるＬＥＤランプの点灯を制御する車両用ＬＥＤランプ点灯回路であって、一端が、電源電圧が供給される電源線に接続され、他端が第１の接点に接続された第１の抵抗と、少なくとも１つ以上の第１のＬＥＤ素子で構成され、一端が基準ノードに接続され、他端が、第２の接点及び接地された接地線に接続された第１のＬＥＤランプと、前記基準ノードと、前記第１の接点との間が導通した第１の状態と、前記基準ノードと、前記第２の接点との間が導通した第２の状態とを切り換える被水スイッチ装置と、を備える車両用ＬＥＤランプ点灯回路の制御方法において、
前記被水スイッチ装置を前記第１の状態に切り換えることにより、前記第１のＬＥＤランプを点灯させ、
前記被水スイッチ装置を前記第２の状態に切り換えることにより、前記第１のＬＥＤランプの前記一端と前記他端とを同電位にして、前記第１のＬＥＤランプを消灯させる
ことを特徴とする。
【発明の効果】
【００２６】
本発明の一態様に係る車両用ＬＥＤランプ点灯回路は、車両に積載されるＬＥＤランプの点灯を制御する車両用ＬＥＤランプ点灯回路であって、一端が、電源電圧が供給される電源線に接続され、他端が第１の接点に接続された第１の抵抗と、少なくとも１つ以上の第１のＬＥＤ素子で構成され、一端が基準ノードＴＢに接続され、他端が、第２の接点Ｔ２及び接地された接地線に接続された第１のＬＥＤランプと、基準ノードＴＢと、第１の接点との間が導通した第１の状態と、基準ノードＴＢと、第２の接点Ｔ２との間が導通した第２の状態とを切り換える被水スイッチ装置と、を備える。【００２７】
この車両用ＬＥＤランプ点灯回路において、被水スイッチ装置を第１の状態に切り換えることにより、電源線から駆動電流が第１のＬＥＤランプに供給されて第１のＬＥＤランプが点灯する。一方、被水スイッチ装置を第２の状態に切り換えることにより、第１のＬＥＤランプの一端と他端との間が短絡されて同電位になり、第１のＬＥＤランプが消灯する。【００２８】
これにより、例えば、車両用ＬＥＤランプ点灯回路が二輪車等の車両に適用された場合に、被水スイッチ装置が被水してリーク電流が流れる場合にも、より確実にＬＥＤランプを消灯することができる。【００２９】
そして、被水スイッチ装置が被水することにより、被水スイッチ装置の第１の接点と第２の接点Ｔ２との間にリーク電流が流れる状態になっても、被水スイッチ装置を第２の状態に切り換えていることにより、第１のＬＥＤランプの一端と他端とが同電位になり、第１のＬＥＤランプには電流が流れない。【００３０】
これにより、被水スイッチ装置にリーク電流を防ぐための外部回路や、防水機能が不要となり、安価な被水スイッチ装置を用いることができる。このため、車両用ＬＥＤランプ点灯回路の製造コストを削減することができる。【００３１】
したがって、本発明に係る車両用ＬＥＤランプ点灯回路によれば、製造コストを削減しつつ、ＬＥＤランプの点灯を制御する被水スイッチ装置に流れるリーク電流によるＬＥＤランプの誤点灯を抑制することができる。  
【図面の簡単な説明】
【００３２】
【図１】図１は、本発明の一態様である第１の実施形態に係る車両用ＬＥＤランプ点灯回路１００の構成の一例を示す図である。
【図２】図２は、図１に示す車両用ＬＥＤランプ点灯回路１００のスイッチ装置ＳＷを第１の状態に切り替えて、第１のＬＥＤランプＬ１が点灯している場合の一例を示す図である。
【図３】図３は、図１に示す車両用ＬＥＤランプ点灯回路１００のスイッチ装置ＳＷを第２の状態に切り替えて、第１のＬＥＤランプＬ１が消灯している場合の一例を示す図である。
【図４】図４は、図１に示す車両用ＬＥＤランプ点灯回路１００のスイッチ装置ＳＷを第２の状態に切り替えて、第１のＬＥＤランプＬ１が消灯している場合に、スイッチ装置ＳＷが被水してリーク電流が流れている状態の一例を示す図である。
【図５】図５は、本発明の一態様である第２の実施形態に係る車両用ＬＥＤランプ点灯回路２００の構成の一例を示す図である。
【図６】図６は、図５に示す車両用ＬＥＤランプ点灯回路２００のスイッチ装置ＳＷを第１の状態に切り替えて、第１のＬＥＤランプＬ１が点灯している場合の一例を示す図である。
【図７】図７は、図５に示す車両用ＬＥＤランプ点灯回路２００のスイッチ装置ＳＷを第２の状態に切り替えて、第１のＬＥＤランプＬ１が消灯している場合の一例を示す図である。
【図８】図８は、図５に示す車両用ＬＥＤランプ点灯回路２００のスイッチ装置ＳＷを第２の状態に切り替えて、第１のＬＥＤランプＬ１が消灯している場合に、スイッチ装置ＳＷが被水してリーク電流が流れている状態の一例を示す図である。
【図９】図９は、本発明の一態様である第３の実施形態に係る車両用ＬＥＤランプ点灯回路３００の構成の一例を示す図である。
【図１０】図１０は、図９に示す車両用ＬＥＤランプ点灯回路３００のスイッチ装置ＳＷを第１の状態に切り替えて、第１のＬＥＤランプＬ１が点灯している場合の一例を示す図である。
【図１１】図１１は、図９に示す車両用ＬＥＤランプ点灯回路３００のスイッチ装置ＳＷを第２の状態に切り替えて、第１のＬＥＤランプＬ１が消灯している場合の一例を示す図である。
【図１２】図１２は、本発明の一態様である第４の実施形態に係る車両用ＬＥＤランプ点灯装置４００の構成の一例を示す図である。
【図１３】図１３は、従来のバルブランプ点灯回路の構成の一例を示す図である。
【図１４】図１４は、従来のＬＥＤランプ点灯回路の構成の一例を示す図である。
【発明を実施するための最良の形態】
【００３３】
以下、本発明に係る各実施形態について図面に基づいて説明する。
【第１の実施形態】
【００３４】
第１の実施形態に係る車両用ＬＥＤランプ点灯回路１００は、二輪車等の車両（図示せず）に積載されるＬＥＤランプの点灯を制御する（図１）。なお、図１の例は、スイッチ装置ＳＷにおいて、基準ノードＴＢと、第１、第２の接点Ｔ１、Ｔ２とが接続されていない状態を示している。
【００３５】
この車両用ＬＥＤランプ点灯回路１００は、一端が電源線ＶＣＣに接続され、他端が第１の接点Ｔ１に接続された第１の抵抗Ｒ１と、一端が基準ノードＴＢに接続され、他端が第２の接点Ｔ２及び接地線ＧＮＤに接続された第１のＬＥＤランプＬ１と、第１のＬＥＤランプＬ１に流れる電流を制御する被水スイッチ装置ＳＷと、を備える（図１）。
【００３６】
この車両用ＬＥＤランプ点灯回路１００は、例えば、既述の二輪車等の車両に積載される。
【００３７】
電源線ＶＣＣは、電源電圧が供給される。なお、この電源電圧の値は、一定の値に制御されている。
【００３８】
接地線ＧＮＤは、接地されている。なお、この接地の電位は、０Ｖに限定されるものではなく、少なくともＬＥＤランプを点灯可能なように、電源電圧より低い固定の電位に設定される。
【００３９】
また、第１のＬＥＤランプＬ１は、少なくとも１つ以上の第１のＬＥＤ素子Ｄ１で構成されている。そして、第１のＬＥＤランプＬ１の一端は、第１のＬＥＤ素子Ｄ１のアノード側が接続され、第１のＬＥＤランプＬ１の他端は、第１のＬＥＤ素子Ｄ１のカソード側が接続されている。なお、図１では、２つの第１のＬＥＤ素子Ｄ１が直列に接続された第１のＬＥＤランプＬ１の構成例を示している。
【００４０】
この第１のＬＥＤランプＬ１は、例えば、既述の二輪車のヘッドライト、ウインカー、テールランプ、ポジションランプ、メータイルミネーションの何れかである。
【００４１】
また、被水スイッチ装置ＳＷは、基準ノードＴＢと、第１の接点Ｔ１との間が導通した第１の状態（図２）と、基準ノードＴＢと、第２の接点Ｔ２との間が導通した第２の状態（図３）とを切り換える。なお、第１の接点Ｔ１、および、第２の接点Ｔ２の表面は、例えば、Ｃｕ又はＡｌを含む金属で覆われている。
【００４２】
例えば、被水スイッチ装置ＳＷを第１の状態に切り換えることにより、第１のＬＥＤランプＬ１に電流Ｉ１が流れて、第１のＬＥＤランプＬ１を点灯させる（図２）。
【００４３】
一方、被水スイッチ装置ＳＷを第２の状態に切り換えることにより、第１のＬＥＤランプＬ１の一端と他端とを同電位にして（すなわち、第１のＬＥＤランプＬ１に電流が流れないようにして）、第１のＬＥＤランプＬ１を消灯させる（図３）。
【００４４】
この被水スイッチ装置ＳＷは、例えば、ユーザにより操作されることにより、既述の第１の状態と第２の状態とを切り換える。
【００４５】
被水スイッチ装置ＳＷは、例えば、第１のＬＥＤランプＬ１の点灯を制御するための既述の二輪車の機械式のハンドルスイッチである。なお、この被水スイッチ装置ＳＷは、比較的簡易な構成を有し、例えば、リーク電流ＩＸを防ぐための外部回路や、防水機能が設けられていない。
【００４６】
したがって、被水スイッチ装置ＳＷが被水することにより、第１の接点Ｔ１および第２の接点Ｔ２が被水して、第１の接点Ｔ１と第２の接点Ｔ２との間が電気的に導通して（水の抵抗ＲＸで接続され）リーク電流ＩＸが流れる（図４）。このように、被水スイッチ装置ＳＷにリーク電流ＩＸが流れ得る。
【００４７】
例えば、被水スイッチ装置ＳＷの第１の接点Ｔ１と第２の接点Ｔ２との間に流れるリーク電流ＩＸの値が、第１のＬＥＤランプＬ１を点灯させることが可能な駆動電流の値よりも大きい場合がある。
【００４８】
この場合、もし、このリーク電流ＩＸが第１のＬＥＤランプＬ１に流れてしまうと、第１のＬＥＤランプＬ１が誤点灯し得る。しかし、被水スイッチ装置ＳＷにリーク電流ＩＸが流れる状態になっても、被水スイッチ装置ＳＷを第２の状態に切り換えていることにより、第１のＬＥＤランプＬ１の一端と他端とが同電位になり、第１のＬＥＤランプＬ１には電流が流れない。
【００４９】
すなわち、被水スイッチ装置に流れるリーク電流ＩＸによる第１のＬＥＤランプＬ１の誤点灯を抑制することができる。
【００５０】
また、既述のように、第１の抵抗Ｒ１は、一端が電源線ＶＣＣに接続され、他端が第１の接点Ｔ１に接続されている。
【００５１】
この第１の抵抗Ｒ１は、既述の第１の状態において、電源電圧が供給される電源線ＶＣＣから第１のＬＥＤランプＬ１に供給される駆動電流が予め設定された第１の規定値になる抵抗値に設定される。
【００５２】
これにより、電源電圧の値が所定の一定の値に制御されている場合、被水スイッチ装置ＳＷを第１の状態に切り換えることにより、第１のＬＥＤランプＬ１に上記第１の規定値の駆動電流が供給されることになり、第１のＬＥＤランプＬ１が規定の明るさで点灯することとなる。
【００５３】
次に、以上のような構成を有する車両用ＬＥＤランプ点灯回路１００の制御方法の一例について、説明する。
【００５４】
既述のように、例えば、被水スイッチ装置ＳＷがユーザにより操作されることにより、基準ノードＴＢと、第１の接点Ｔ１との間が導通した第１の状態（図２）に切り換わる。これにより、第１のＬＥＤランプＬ１に電流が流れて、第１のＬＥＤランプＬ１を点灯させる（図２）。
【００５５】
一方、被水スイッチ装置ＳＷがユーザにより操作されることにより、基準ノードＴＢと、第２の接点Ｔ２との間が導通した第２の状態（図３）に切り換わる。これにより、第１のＬＥＤランプＬ１の一端と他端とを同電位にして（すなわち、第１のＬＥＤランプＬ１に電流が流れないようにして）、第１のＬＥＤランプＬ１を消灯させる（図３）。
【００５６】
ここで、機械式のハンドルスイッチである被水スイッチ装置ＳＷが被水することにより、第１の接点Ｔ１および第２の接点Ｔ２が被水して、第１の接点Ｔ１と第２の接点Ｔ２との間が電気的に導通して（水の抵抗ＲＸで接続され）リーク電流ＩＸが流れる（図４）。
【００５７】
この場合、被水スイッチ装置ＳＷを第２の状態に切り換えていることにより、第１のＬＥＤランプＬ１の一端と他端とが同電位になり、第１のＬＥＤランプＬ１には電流が流れない。
【００５８】
すなわち、被水スイッチ装置ＳＷに流れるリーク電流ＩＸによる第１のＬＥＤランプＬ１の誤点灯を抑制することができる。
【００５９】
以上のように、本発明の一態様に係る車両用ＬＥＤランプ点灯回路１００は、車両に積載されるＬＥＤランプの点灯を制御する車両用ＬＥＤランプ点灯回路であって、一端が、電源電圧が供給される電源線に接続され、他端が第１の接点Ｔ１に接続された第１の抵抗Ｒ１と、少なくとも１つ以上の第１のＬＥＤ素子Ｄ１で構成され、一端が基準ノードＴＢに接続され、他端が、第２の接点Ｔ２及び接地された接地線ＧＮＤに接続された第１のＬＥＤランプＬ１と、基準ノードＴＢと、第１の接点Ｔ１との間が導通した第１の状態と、基準ノードＴＢと、第２の接点Ｔ２との間が導通した第２の状態とを切り換える被水スイッチ装置ＳＷと、を備える。
【００６０】
この車両用ＬＥＤランプ点灯回路において、被水スイッチ装置ＳＷを第１の状態に切り換えることにより、電源線から駆動電流が第１のＬＥＤランプＬ１に供給されて第１のＬＥＤランプＬ１が点灯する。
【００６１】
一方、被水スイッチ装置ＳＷを第２の状態に切り換えることにより、第１のＬＥＤランプＬ１の一端と他端との間が短絡されて同電位になり、第１のＬＥＤランプＬ１が消灯する。
【００６２】
これにより、例えば、車両用ＬＥＤランプ点灯回路１００が二輪車等の車両に適用された場合に、被水スイッチ装置ＳＷが被水してリーク電流ＩＸが流れる場合にも、より確実にＬＥＤランプを消灯することができる。
【００６３】
そして、被水スイッチ装置ＳＷが被水することにより、被水スイッチ装置ＳＷの第１の接点Ｔ１と第２の接点Ｔ２との間にリーク電流ＩＸが流れる状態になっても、被水スイッチ装置ＳＷを第２の状態に切り換えている。これにより、第１のＬＥＤランプＬ１の一端と他端とが同電位になり、第１のＬＥＤランプＬ１には電流が流れない。
【００６４】
これにより、既述のように、被水スイッチ装置ＳＷにリーク電流ＩＸを防ぐための外部回路や、防水機能が不要となり、安価な被水スイッチ装置ＳＷを用いることができる。このため、車両用ＬＥＤランプ点灯回路の製造コストを削減することができる。
【００６５】
したがって、本実施形態に係る車両用ＬＥＤランプ点灯回路によれば、製造コストを削減しつつ、ＬＥＤランプの点灯を制御する被水スイッチ装置ＳＷに流れるリーク電流によるＬＥＤランプの誤点灯を抑制することができる。
【第２の実施形態】
【００６６】
本第２の実施形態においては、車両用ＬＥＤランプ点灯回路の他の構成例について説明する。
【００６７】
第２の実施形態に係る車両用ＬＥＤランプ点灯回路２００は、第１の実施形態と同様に、二輪車等の車両（図示せず）に積載されるＬＥＤランプの点灯を制御する（図５）。なお、図５の例は、スイッチ装置ＳＷにおいて、基準ノードＴＢと、第１、第２の接点Ｔ１、Ｔ２とが接続されていない状態を示している。また、図５において、図１の符号と同じ符号は、第１の実施形態と同様の構成を示す。
【００６８】
この車両用ＬＥＤランプ点灯回路２００は、一端が電源線ＶＣＣに接続され、他端が第１の接点Ｔ１に接続された第１の抵抗Ｒ１と、一端が基準ノードＴＢに接続され、他端が第２の接点Ｔ２及び接地線ＧＮＤに接続された第１のＬＥＤランプＬ１と、第１のＬＥＤランプＬ１に流れる電流を制御する被水スイッチ装置ＳＷと、一端が電源線ＶＣＣに接続された第２の抵抗Ｒ２と、一端が第２の抵抗Ｒ２の他端に接続され、他端が接地線ＧＮＤに接続された第２のＬＥＤランプＬ２と、を備える（図５）。
【００６９】
すなわち、この車両用ＬＥＤランプ点灯回路２００は、図１に示す第１の実施形態の車両用ＬＥＤランプ点灯回路１００と比較して、第２の抵抗Ｒ２と、第２のＬＥＤランプＬ２と、をさらに備える。
【００７０】
第２のＬＥＤランプＬ２は、少なくとも１つ以上の第２のＬＥＤ素子Ｄ２で構成されている。そして、第２のＬＥＤランプＬ２の一端は、第２のＬＥＤ素子Ｄ２のアノード側が接続され、第２のＬＥＤランプＬ２の他端は、第２のＬＥＤ素子Ｄ２のカソード側が接続されている。なお、図５では、２つの第２のＬＥＤ素子Ｄ２が直列に接続された第２のＬＥＤランプＬ２の構成例を示している。
【００７１】
この第２のＬＥＤランプＬ２は、例えば、既述の二輪車のヘッドライト、ウインカー、テールランプ、ポジションランプ、メータイルミネーションの何れかである。
【００７２】
また、被水スイッチ装置ＳＷは、第１の実施形態と同様に、基準ノードＴＢと、第１の接点Ｔ１との間が導通した第１の状態（図６）と、基準ノードＴＢと、第２の接点Ｔ２との間が導通した第２の状態（図７）とを切り換える。
【００７３】
被水スイッチ装置ＳＷを第１の状態に切り換えることにより、第２のＬＥＤランプＬ２に電流Ｉ２が流れて、第２のＬＥＤランプＬ２を点灯させつつ、第１のＬＥＤランプＬ１に電流Ｉ１が流れて、第１のＬＥＤランプＬ１を点灯させる（図６）。
【００７４】
一方、被水スイッチ装置ＳＷを第２の状態に切り換えることにより、第２のＬＥＤランプＬ２に電流Ｉ２が流れて、第２のＬＥＤランプＬ２を点灯させつつ、第１のＬＥＤランプＬ１の一端と他端とを同電位にして（すなわち、第１のＬＥＤランプＬ１に電流が流れないようにして）、第１のＬＥＤランプＬ１を消灯させる（図７）。
【００７５】
ここで、第１の実施形態と同様に、被水スイッチ装置ＳＷが被水することにより、第１の接点Ｔ１および第２の接点Ｔ２が被水して、第１の接点Ｔ１と第２の接点Ｔ２との間が電気的に導通して（水の抵抗ＲＸで接続され）リーク電流ＩＸが流れる（図８）。このように、被水スイッチ装置ＳＷにリーク電流ＩＸが流れ得る。
【００７６】
例えば、被水スイッチ装置ＳＷの第１の接点Ｔ１と第２の接点Ｔ２との間に流れるリーク電流ＩＸの値が、第１のＬＥＤランプＬ１を点灯させることが可能な駆動電流の値よりも大きい場合がある。
【００７７】
この場合、もし、このリーク電流ＩＸが第１のＬＥＤランプＬ１に流れてしまうと、第１のＬＥＤランプＬ１が誤点灯し得る。しかし、被水スイッチ装置ＳＷにリーク電流ＩＸが流れる状態になっても、被水スイッチ装置ＳＷを第２の状態に切り換えていることにより、第１のＬＥＤランプＬ１の一端と他端とが同電位になり、第１のＬＥＤランプＬ１には電流が流れない。
【００７８】
すなわち、被水スイッチ装置に流れるリーク電流ＩＸによる第１のＬＥＤランプＬ１の誤点灯を抑制することができる。
【００７９】
また、既述のように、第２の抵抗Ｒ２は、一端が電源線ＶＣＣに接続され、他端が第２のＬＥＤランプＬ２の一端に接続されている。
【００８０】
そして、第１の実施形態と同様に、第１の抵抗Ｒ１は、既述の第１の状態において、電源電圧が供給される電源線ＶＣＣから第１のＬＥＤランプＬ１に供給される駆動電流が予め設定された第１の規定値になる抵抗値に設定される。
【００８１】
これにより、電源電圧の値が所定の一定の値に制御されている場合、被水スイッチ装置ＳＷを第１の状態に切り換えることにより、第１のＬＥＤランプＬ１に上記第１の規定値の駆動電流が供給されることになり、第１のＬＥＤランプＬ１が規定の明るさで点灯することとなる。
【００８２】
さらに、第２の抵抗Ｒ２は、電源電圧が供給される電源線ＶＣＣから第２のＬＥＤランプＬ２に供給される駆動電流が予め設定された第２の規定値になる抵抗値に設定される。
【００８３】
これにより、電源電圧の値が所定の一定の値に制御されている場合、第１のＬＥＤランプＬ１の点灯状態やリーク電流ＩＸの有無に拘わらず、第２のＬＥＤランプＬ２に上記第２の規定値の駆動電流が供給されることになり、第２のＬＥＤランプＬ２が規定の明るさで点灯することとなる。
【００８４】
なお、図５に示す車両用ＬＥＤランプ点灯回路２００のその他の構成は、図１に示す車両用ＬＥＤランプ点灯回路１００と同様である。
【００８５】
次に、以上のような構成を有する車両用ＬＥＤランプ点灯回路２００の制御方法の一例について、説明する。
【００８６】
既述のように、例えば、被水スイッチ装置ＳＷがユーザにより操作されることにより、基準ノードＴＢと、第１の接点Ｔ１との間が導通した第１の状態（図６）に切り換わる。
【００８７】
これにより、第２のＬＥＤランプＬ２に電流Ｉ２が流れて、第２のＬＥＤランプＬ２を点灯させつつ、第１のＬＥＤランプＬ１に電流Ｉ１が流れて、第１のＬＥＤランプＬ１を点灯させる（図６）。
【００８８】
一方、被水スイッチ装置ＳＷがユーザにより操作されることにより、基準ノードＴＢと、第２の接点Ｔ２との間が導通した第２の状態（図７）に切り換わる。
【００８９】
これにより、第２のＬＥＤランプＬ２に電流Ｉ２が流れて、第２のＬＥＤランプＬ２を点灯させつつ、第１のＬＥＤランプＬ１の一端と他端とを同電位にして（すなわち、第１のＬＥＤランプＬ１に電流が流れないようにして）、第１のＬＥＤランプＬ１を消灯させる（図７）。
【００９０】
ここで、機械式のハンドルスイッチである被水スイッチ装置ＳＷが被水することにより、第１の接点Ｔ１および第２の接点Ｔ２が被水して、第１の接点Ｔ１と第２の接点Ｔ２との間が電気的に導通して（水の抵抗ＲＸで接続され）リーク電流ＩＸが流れる（図８）。
【００９１】
この場合、被水スイッチ装置ＳＷを第２の状態に切り換えていることにより、第１のＬＥＤランプＬ１の一端と他端とが同電位になり、第１のＬＥＤランプＬ１には電流が流れない。
【００９２】
すなわち、被水スイッチ装置に流れるリーク電流ＩＸによる第１のＬＥＤランプＬ１の誤点灯を抑制することができる。
【００９３】
なお、車両用ＬＥＤランプ点灯回路２００のその他の動作は、第１の実施形態に示す車両用ＬＥＤランプ点灯回路１００の動作と同様である。
【００９４】
すなわち、第１の実施形態と同様に、本実施形態に係る車両用ＬＥＤランプ点灯回路２００は、二輪車等の車両に適用された場合に、被水スイッチ装置ＳＷが被水してリーク電流ＩＸが流れる場合にも、より確実にＬＥＤランプを消灯することができる。
【００９５】
そして、被水スイッチ装置ＳＷが被水することにより、被水スイッチ装置ＳＷの第１の接点Ｔ１と第２の接点Ｔ２との間にリーク電流ＩＸが流れる状態になっても、被水スイッチ装置ＳＷを第２の状態に切り換えている。これにより、第１のＬＥＤランプＬ１の一端と他端とが同電位になり、第１のＬＥＤランプＬ１には電流が流れない。
【００９６】
これにより、既述のように、被水スイッチ装置ＳＷにリーク電流ＩＸを防ぐための外部回路や、防水機能が不要となり、安価な被水スイッチ装置ＳＷを用いることができる。このため、車両用ＬＥＤランプ点灯回路の製造コストを削減することができる。
【００９７】
したがって、本実施形態に係る車両用ＬＥＤランプ点灯回路によれば、製造コストを削減しつつ、ＬＥＤランプの点灯を制御する被水スイッチ装置ＳＷに流れるリーク電流によるＬＥＤランプの誤点灯を抑制することができる。
【第３の実施形態】
【００９８】
既述の第１の実施形態では、被水スイッチ装置ＳＷが、基準ノードＴＢと第１の接点Ｔ１との間が導通した第１の状態（図２）と、基準ノードＴＢと第２の接点Ｔ２との間が導通した第２の状態（図３）とを切り換えても、リーク電流が流れない限り、第２の接点Ｔ２には、電流が流れない。この場合、第２の接点Ｔ２表面の金属が酸化し、又は絶縁物が付着等する等して、第２の接点の絶縁不良が発生し得る。
【００９９】
そこで、本第３の実施形態においては、スイッチ装置の第２の接点に電流が流れるようにして、第２の接点の酸化や絶縁物の付着を抑制することにより、第２の接点の絶縁不良を抑制することが可能な車両用ＬＥＤランプ点灯回路の構成例について説明する。
【０１００】
第３の実施形態に係る車両用ＬＥＤランプ点灯回路３００は、第１の実施形態と同様に、二輪車等の車両（図示せず）に積載されるＬＥＤランプの点灯を制御する（図９）。なお、図９の例は、スイッチ装置ＳＷにおいて、基準ノードＴＢと、第１、第２の接点Ｔ１、Ｔ２とが接続されていない状態を示している。また、図９において、図１の符号と同じ符号は、第１の実施形態と同様の構成を示す。
【０１０１】
この車両用ＬＥＤランプ点灯回路３００は、一端が電源線ＶＣＣに接続され、他端が第１の接点Ｔ１に接続された第１の抵抗Ｒ１と、一端が基準ノードＴＢに接続され、他端が第２の接点Ｔ２及び接地線ＧＮＤに接続された第１のＬＥＤランプＬ１と、第１のＬＥＤランプＬ１に流れる電流を制御する被水スイッチ装置ＳＷと、一端が基準ノードＴＢに接続され、他端が第２の接点Ｔ２に接続されたコンデンサＣ１と、を備える（図９）。
【０１０２】
すなわち、この車両用ＬＥＤランプ点灯回路３００は、図１に示す第１の実施形態の車両用ＬＥＤランプ点灯回路１００と比較して、コンデンサＣ１をさらに備える。
【０１０３】
既述のように、コンデンサＣ１は、一端が基準ノードＴＢに接続され、他端が第２の接点Ｔ２に接続されている。
【０１０４】
また、被水スイッチ装置ＳＷは、第１の実施形態と同様に、基準ノードＴＢと、第１の接点Ｔ１との間が導通した第１の状態（図１０）と、基準ノードＴＢと、第２の接点Ｔ２との間が導通した第２の状態（図１１）とを切り換える。また、既述のように、第１の接点Ｔ１、および、第２の接点Ｔ２の表面は、例えば、Ｃｕ又はＡｌを含む金属で覆われている。
【０１０５】
被水スイッチ装置ＳＷを第１の状態に切り換えることにより、第１のＬＥＤランプＬ１に電流Ｉ１が流れて、第１のＬＥＤランプＬ１を点灯させつつ、コンデンサＣ１に充電電流ＩＣが流れて、コンデンサＣ１を充電する（図１０）。このとき、コンデンサＣ１には、第１のＬＥＤ素子Ｄ１のＶＦ電圧（図１０の例では、ＶＦ電圧の２倍）まで電荷が蓄えられている。
【０１０６】
一方、被水スイッチ装置ＳＷを第２の状態に切り換えることにより、第１のＬＥＤランプＬ１の一端と他端とを同電位にして（すなわち、第１のＬＥＤランプＬ１に電流が流れないようにして）、第１のＬＥＤランプＬ１を消灯させつつ、コンデンサＣ１を放電させて、基準ノードＴＢと前記第２の接点Ｔ２との間に放電電流ＩＤを流す。
【０１０７】
このように、第１のＬＥＤランプＬ１の点灯と消灯とを切り替える頻度と同じ頻度（すなわち、第１の接点Ｔ１に電流を流す頻度と同じ頻度）で、第２の接点Ｔ２に電流を流すことができる。
【０１０８】
これにより、第２の接点Ｔ２の酸化や絶縁物の付着を抑制して、第２の接点Ｔ２の絶縁不良をより確実に抑制することができる。すなわち、被水スイッチ装置ＳＷの切り替え性能  の低下を抑制させることができる。
【０１０９】
なお、コンデンサＣ１の容量値は、第２の接点Ｔ２の酸化や絶縁物の付着を抑制するために、スイッチ装置ＳＷに流す放電電流の値に基づいて決定される。
【０１１０】
なお、図９に示す車両用ＬＥＤランプ点灯回路３００のその他の構成は、図１に示す車両用ＬＥＤランプ点灯回路１００と同様である。
【０１１１】
そして、以上のような構成を有する車両用ＬＥＤランプ点灯回路３００のその他の動作は、第１の実施形態に示す車両用ＬＥＤランプ点灯回路１００の動作と同様である。
【０１１２】
すなわち、第１の実施形態と同様に、本実施形態に係る車両用ＬＥＤランプ点灯回路３００は、二輪車等の車両に適用された場合に、被水スイッチ装置ＳＷが被水してリーク電流ＩＸが流れる場合にも、より確実にＬＥＤランプを消灯することができる。
【０１１３】
そして、被水スイッチ装置ＳＷが被水することにより、被水スイッチ装置ＳＷの第１の接点Ｔ１と第２の接点Ｔ２との間にリーク電流ＩＸが流れる状態になっても、被水スイッチ装置ＳＷを第２の状態に切り換えられている。これにより、第１のＬＥＤランプＬ１の一端と他端とが同電位になり、第１のＬＥＤランプＬ１には電流が流れない。
【０１１４】
これにより、既述のように、被水スイッチ装置ＳＷにリーク電流ＩＸを防ぐための外部回路や、防水機能が不要となり、安価な被水スイッチ装置ＳＷを用いることができる。このため、車両用ＬＥＤランプ点灯回路の製造コストを削減することができる。
【０１１５】
したがって、本実施形態に係る車両用ＬＥＤランプ点灯回路によれば、製造コストを削減しつつ、ＬＥＤランプの点灯を制御する被水スイッチ装置ＳＷに流れるリーク電流によるＬＥＤランプの誤点灯を抑制することができる。
【０１１６】
なお、本実施形態では、コンデンサＣ１を第１の実施形態の車両用ＬＥＤランプ点灯回路に適用した場合について説明したが、このコンデンサＣ１を第２の実施形態の車両用ＬＥＤランプ点灯回路に適用するようにしてもよい。
【第４の実施形態】
【０１１７】
既述の第１ないし第３の実施形態では、電源線から一定に制御された電源電圧が車両用ＬＥＤランプ点灯回路に供給される構成例について説明した。
【０１１８】
本実施形態では、このＬＥＤランプ点灯回路と電源回路とを備えたＬＥＤランプ点灯装置の一例について説明する。
【０１１９】
第４の実施形態に係る車両用ＬＥＤランプ点灯装置４００は、第２の実施形態と同様に、二輪車等の車両（図示せず）に積載されるＬＥＤランプの点灯を制御する（図１２）。なお、図１２の例は、被水スイッチ装置ＳＷにおいて、基準ノードＴＢと、第１、第２の接点Ｔ１、Ｔ２とが接続されていない状態を示している。また、図１２において、図５の符号と同じ符号は、第２の実施形態と同様の構成を示す。
【０１２０】
この車両用ＬＥＤランプ点灯装置４００は、一端が電源線ＶＣＣに接続され、他端が第１の接点Ｔ１に接続された第１の抵抗Ｒ１と、一端が基準ノードＴＢに接続され、他端が第２の接点Ｔ２及び接地線ＧＮＤに接続された第１のＬＥＤランプＬ１と、第１のＬＥＤランプＬ１に流れる電流を制御する被水スイッチ装置ＳＷと、一端が基準ノードＴＢに接続され、他端が第２の接点Ｔ２に接続されたコンデンサＣ１と、電源線ＶＣＣに一定の電源電圧を供給する電源回路ＤＳと、を備える（図１２）。
【０１２１】
すなわち、この車両用ＬＥＤランプ点灯装置４００は、図５に示す第２の実施形態の車両用ＬＥＤランプ点灯回路２００に加えて、電源回路ＤＳをさらに備える。この電源回路ＤＳは、電源電圧の値を一定の値に制御する。
【０１２２】
ここで、第２の実施形態と同様に、第１の抵抗Ｒ１は、既述の第１の状態において、電源電圧が供給される電源線ＶＣＣから第１のＬＥＤランプＬ１に供給される駆動電流が予め設定された第１の規定値になる抵抗値に設定される。
【０１２３】
これにより、電源回路ＤＳが電源電圧の値を所定の一定の値に制御している場合、被水スイッチ装置ＳＷを第１の状態に切り換えることにより、第１のＬＥＤランプＬ１に上記第１の規定値の駆動電流が供給されることになり、第１のＬＥＤランプＬ１が規定の明るさで点灯することとなる。
【０１２４】
さらに、第２の実施形態と同様に、第２の抵抗Ｒ２は、電源電圧が供給される電源線ＶＣＣから第２のＬＥＤランプＬ２に供給される駆動電流が予め設定された第２の規定値になる抵抗値に設定される。
【０１２５】
これにより、電源回路ＤＳが電源電圧の値を所定の一定の値に制御している場合、第１のＬＥＤランプＬ１の点灯状態やリーク電流ＩＸの有無に拘わらず、第２のＬＥＤランプＬ２に上記第２の規定値の駆動電流が供給されることになり、第２のＬＥＤランプＬ２が規定の明るさで点灯することとなる。
【０１２６】
なお、図１２に示す車両用ＬＥＤランプ点灯装置４００のその他の構成は、図５に示す車両用ＬＥＤランプ点灯回路２００と同様である。
【０１２７】
そして、以上のような構成を有する車両用ＬＥＤランプ点灯装置４００のその他の動作は、第２の実施形態に示す車両用ＬＥＤランプ点灯回路３００の動作と同様である。
【０１２８】
すなわち、第２の実施形態と同様に、本実施形態に係る車両用ＬＥＤランプ点灯装置４００は、二輪車等の車両に適用された場合に、被水スイッチ装置ＳＷが被水してリーク電流ＩＸが流れる場合にも、より確実にＬＥＤランプを消灯することができる。
【０１２９】
そして、被水スイッチ装置ＳＷが被水することにより、被水スイッチ装置ＳＷの第１の接点Ｔ１と第２の接点Ｔ２との間にリーク電流ＩＸが流れる状態になっても、被水スイッチ装置ＳＷを第２の状態に切り換えている。これにより、第１のＬＥＤランプＬ１の一端と他端とが同電位になり、第１のＬＥＤランプＬ１には電流が流れない。
【０１３０】
これにより、既述のように、被水スイッチ装置ＳＷにリーク電流ＩＸを防ぐための外部回路や、防水機能が不要となり、安価な被水スイッチ装置ＳＷを用いることができる。このため、車両用ＬＥＤランプ点灯回路の製造コストを削減することができる。
【０１３１】
したがって、本実施形態に係る車両用ＬＥＤランプ点灯装置によれば、製造コストを削減しつつ、ＬＥＤランプの点灯を制御する被水スイッチ装置ＳＷに流れるリーク電流によるＬＥＤランプの誤点灯を抑制することができる。
【０１３２】
なお、本実施形態では、電源回路ＳＤと第２の実施形態の車両用ＬＥＤランプ点灯回路を組み合わせた場合について説明したが、この電源回路ＳＤを第１、３の実施形態の車両用ＬＥＤランプ点灯回路に組み合わせるようにしてもよい。
【０１３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【図１】
2016157319.tif 000003
【図２】
2016157319.tif 000004
【図３】
2016157319.tif 000005
【図４】
2016157319.tif 000006
【図５】
2016157319.tif 000007
【図６】
2016157319.tif 000008
【図７】
2016157319.tif 000009
【図８】
2016157319.tif 000010
【図９】
2016157319.tif 000011
【図１０】
2016157319.tif 000012
【図１１】
2016157319.tif 000013
【図１２】
2016157319.tif 000014
【図１３】
2016157319.tif 000015
【図１４】
2016157319.tif 000016
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
車両に積載されるＬＥＤランプの点灯を制御する車両用ＬＥＤランプ点灯回路であって、
少なくとも１つ以上の第１のＬＥＤ素子で構成され、一端が基準ノードに接続され、他端が接地線に接続された第１のＬＥＤランプと、
前記基準ノードと、電源線に接続された第１の接点との間を導通して前記電源線と前記第１のＬＥＤランプの前記一端との間に電流が流れる第１の状態と、前記基準ノードと、前記第１のＬＥＤランプの前記他端に接続された第２の接点との間を導通して前記第１のＬＥＤランプの前記一端と前記第１のＬＥＤランプの前記他端とを同電位にし、且つ前記電源線と前記第１のＬＥＤランプの前記一端との間を遮断した第２の状態とを切り換えるスイッチ装置と、を備える
ことを特徴とする車両用ＬＥＤランプ点灯回路。
【請求項２】
前記スイッチ装置を前記第１の状態に切り換えることにより、前記電源線から前記第１のＬＥＤランプに電流を流して前記第１のＬＥＤランプを点灯させ、
前記スイッチ装置を前記第２の状態に切り換えることにより、前記電源線と前記第１のＬＥＤランプの前記一端との間を遮断して前記第１のＬＥＤランプを消灯させるとともに、前記第１のＬＥＤランプの前記一端と前記第１のＬＥＤランプの前記他端とを同電位にする
ことを特徴とする請求項１に記載の車両用ＬＥＤランプ点灯回路。
【請求項３】
前記第２の状態において、前記第１のＬＥＤランプに電流が流れないことを特徴とする請求項１又は２に記載の車両用ＬＥＤランプ点灯回路。
【請求項４】
前記基準ノードは、前記第１のＬＥＤランプの前記一端のみに接続され、及び／又は、前記第２の接点は、前記第１のＬＥＤランプの前記他端及び前記接地線のみに接続されていることを特徴とする請求項１ないし３のいずれか一項に記載の車両用ＬＥＤランプ点灯回路。
【請求項５】
前記スイッチ装置が被水することにより、前記第１の接点と前記第２の接点との間にリーク電流が流れる
ことを特徴とする請求項１ないし４のいずれか一項に記載の車両用ＬＥＤランプ点灯回路。
【請求項６】
前記スイッチ装置に前記リーク電流が流れる状態になっても、前記スイッチ装置を前記第２の状態に切り換えていることにより、前記第１のＬＥＤランプの前記一端と前記第１のＬＥＤランプの前記他端とが同電位になり、前記第１のＬＥＤランプには電流が流れない
ことを特徴とする請求項５に記載の車両用ＬＥＤランプ点灯回路。
【請求項７】
前記第１の接点と前記第２の接点との間に流れる前記リーク電流の値は、前記第１のＬＥＤランプを点灯させることが可能な駆動電流の値よりも大きい
ことを特徴とする請求項６に記載の車両用ＬＥＤランプ点灯回路。
【請求項８】
前記第２の状態において、前記第１のＬＥＤランプの前記一端と前記第１のＬＥＤランプの前記他端が接地されて、前記第１のＬＥＤランプが消灯することを特徴とする請求項１ないし７に記載の車両用ＬＥＤランプ点灯回路。
【請求項９】
前記スイッチ装置が被水することにより、前記第１の接点および前記第２の接点が被水して、前記第１の接点と前記第２の接点との間が水の抵抗で接続されて前記リーク電流が流れる
ことを特徴とする請求項５に記載の車両用ＬＥＤランプ点灯回路。
【請求項１０】
前記電源線と前記第１の接点との間に、第１の抵抗が接続されていることを特徴とする請求項１に記載の車両用ＬＥＤランプ点灯回路。
【請求項１１】
前記第１の抵抗の一端は前記電源線に接続され、前記第１の抵抗の他端は前記第１の接点にのみ接続されていることを特徴とする請求項１０に記載の車両用ＬＥＤランプ点灯回路。
【請求項１２】
前記第１のＬＥＤランプの前記一端は、前記第１のＬＥＤ素子のアノード側が接続され、前記第１のＬＥＤランプの前記他端は、前記第１のＬＥＤ素子のカソード側が接続されている
ことを特徴とする請求項１ないし１１のいずれか一項に記載の車両用ＬＥＤランプ点灯回路。
【請求項１３】
一端が前記基準ノードに接続され、他端が前記第２の接点に接続されたコンデンサをさらに備え、
前記スイッチ装置を前記第１の状態に切り換えることにより、前記電源線から前記第１のＬＥＤランプに電流を流して前記第１のＬＥＤランプを点灯させつつ、前記コンデンサを充電し、
前記スイッチ装置を前記第２の状態に切り換えることにより、前記電源線と前記第１のＬＥＤランプの前記一端との間を遮断して前記第１のＬＥＤランプを消灯させるとともに、前記第１のＬＥＤランプの前記一端と前記第１のＬＥＤランプの前記他端とを同電位にさせつつ、前記コンデンサを放電させて、前記基準ノードと前記第２の接点との間に電流を流す
ことを特徴とする請求項２に記載の車両用ＬＥＤランプ点灯回路。
【請求項１４】
（削除）
【請求項１５】
（削除）
【請求項１６】
車両に積載されるＬＥＤランプの点灯を制御する車両用ＬＥＤランプ点灯装置であって、
少なくとも１つ以上の第１のＬＥＤ素子で構成され、一端が基準ノードに接続され、他端が接地線に接続された第１のＬＥＤランプと、
前記基準ノードと、電源線に接続された第１の接点との間を導通して前記電源線と前記第１のＬＥＤランプの前記一端との間に電流が流れる第１の状態と、前記基準ノードと、前記第１のＬＥＤランプの前記他端に接続された第２の接点との間を導通して前記第１のＬＥＤランプの前記一端と前記第１のＬＥＤランプの前記他端とを同電位にし、且つ前記電源線と前記第１のＬＥＤランプの前記一端との間を遮断した第２の状態とを切り換えるスイッチ装置と、
前記電源線に一定の電源電圧を供給する電源回路と、を備える
ことを特徴とする車両用ＬＥＤランプ点灯装置。
【請求項１７】
車両に積載されるＬＥＤランプの点灯を制御する車両用ＬＥＤランプ点灯回路であって、少なくとも１つ以上の第１のＬＥＤ素子で構成され、一端が基準ノードに接続され、他端が接地線に接続された第１のＬＥＤランプと、前記基準ノードと、電源線に接続された第１の接点との間を導通して前記電源線と前記第１のＬＥＤランプの前記一端との間に電流が流れる第１の状態と、前記基準ノードと、前記第１のＬＥＤランプの前記他端に接続された第２の接点との間を導通して前記第１のＬＥＤランプの前記一端と前記第１のＬＥＤランプの前記他端とを同電位にし、且つ前記電源線と前記第１のＬＥＤランプの前記一端との間を遮断した第２の状態とを切り換えるスイッチ装置と、を備える車両用ＬＥＤランプ点灯回路の制御方法において、
前記スイッチ装置を前記第１の状態に切り換えることにより、前記電源線から前記第１のＬＥＤランプに電流を流して前記第１のＬＥＤランプを点灯させ、
前記スイッチ装置を前記第２の状態に切り換えることにより、前記電源線と前記第１のＬＥＤランプの前記一端との間を遮断して前記第１のＬＥＤランプを消灯させるとともに、前記第１のＬＥＤランプの前記一端と前記第１のＬＥＤランプの前記他端とを同電位にする
ことを特徴とする車両用ＬＥＤランプ点灯回路の制御方法。
【手続補正２】
【補正対象書類名】明細書
【補正対象項目名】０００２
【補正方法】変更
【補正の内容】
【０００２】
部回路を備えた被水スイッチ装置ＳＷや、防水機能を有する被水スイッチ装置を適用することにより、ＬＥＤランプの誤点灯を抑制していた。
［０００７］
しかし、このような被水スイッチ装置は、高価となるため、車両用ＬＥＤランプ点灯回路の製造コストが増加する問題がある。
発明の開示
発明が解決しようとする課題
［０００８］
そこで、本発明は、製造コストを削減しつつ、ＬＥＤランプの点灯を制御する被水スイッチ装置に流れるリーク電流によるＬＥＤランプの誤点灯を抑制することが可能な車両用ＬＥＤランプ点灯回路を提供することを目的とする。
課題を解決するための手段
［０００９］
本発明の一態様に係る実施例に従った車両用ＬＥＤランプ点灯回路は、
車両に積載されるＬＥＤランプの点灯を制御する車両用ＬＥＤランプ点灯回路であって、
少なくとも１つ以上の第１のＬＥＤ素子で構成され、一端が基準ノードに接続され、他端が接地線に接続された第１のＬＥＤランプと、
前記基準ノードと、電源線に接続された第１の接点との間を導通して前記電源線と前記第１のＬＥＤランプの前記一端との間に電流が流れる第１の状態と、前記基準ノードと、前記第１のＬＥＤランプの前記他端に接続された第２の接点との間を導通して前記第１のＬＥＤランプの前記一端と前記第１のＬＥＤランプの前記他端とを同電位にし、且つ前記電源線と前記第１のＬＥＤランプの前記一端との間を遮断した第２の状態とを切り換えるスイッチ装置と、を備えることを特徴とする。
［００１０］
前記スイッチ装置を前記第１の状態に切り換えることにより、前記電源線から前記第１のＬＥＤランプに電流を流して前記第１のＬＥＤランプを点灯させ、
前記スイッチ装置を前記第２の状態に切り換えることにより、前記電源線
【手続補正３】
【補正対象書類名】明細書
【補正対象項目名】０００３
【補正方法】変更
【補正の内容】
【０００３】
と前記第１のＬＥＤランプの前記一端との間を遮断して前記第１のＬＥＤランプを消灯させるとともに、前記第１のＬＥＤランプの前記一端と前記第１のＬＥＤランプの前記他端とを同電位にすることを特徴とする。
［００１１］
前記車両用ＬＥＤランプ点灯回路において、
前記第２の状態において、前記第１のＬＥＤランプに電流が流れないことを特徴とする。
［００１２］
前記車両用ＬＥＤランプ点灯回路において、
前記基準ノードは、前記第１のＬＥＤランプの前記一端のみに接続され、及び／又は、前記第２の接点は、前記第１のＬＥＤランプの前記他端及び前記接地線のみに接続されていることを特徴とする。
［００１３］
前記車両用ＬＥＤランプ点灯回路において、
前記スイッチ装置が被水することにより、前記第１の接点と前記第２の接点との間にリーク電流が流れることを特徴とする。
［００１４］
前記車両用ＬＥＤランプ点灯回路において、
前記スイッチ装置に前記リーク電流が流れる状態になっても、前記スイッチ装置を前記第２の状態に切り換えていることにより、前記第１のＬＥＤランプの前記一端と前記第１のＬＥＤランプの前記他端とが同電位になり、前記第１のＬＥＤランプには電流が流れないことを特徴とする。
［００１５］
前記第１の接点と前記第２の接点との間に流れる前記リーク電流の値は、前記第１のＬＥＤランプを点灯させることが可能な駆動電流の値よりも大きいことを特徴とする。
［００１６］
前記車両用ＬＥＤランプ点灯回路において、
前記第２の状態において、前記第１のＬＥＤランプの前記一端と前記第１のＬＥＤランプの前記他端が接地されて、前記第１のＬＥＤランプが消灯することを特徴とする。
［００１７］
前記車両用ＬＥＤランプ点灯回路において、
前記スイッチ装置が被水することにより、前記第１の接点および前記第２の接点が被水して、前記第１の接点と前記第２の接点との間が水の抵抗で接
【手続補正４】
【補正対象書類名】明細書
【補正対象項目名】０００４
【補正方法】変更
【補正の内容】
【０００４】
続されて前記リーク電流が流れることを特徴とする。
［００１８］
前記車両用ＬＥＤランプ点灯回路において、
前記電源線と前記第１の接点との間に、第１の抵抗が接続されていることを特徴とする。
［００１９］
前記車両用ＬＥＤランプ点灯回路において、
前記第１の抵抗の一端は前記電源線に接続され、前記第１の抵抗の他端は前記第１の接点にのみ接続されていることを特徴とする。
［００２０］
前記車両用ＬＥＤランプ点灯回路において、
前記第１のＬＥＤランプの前記一端は、前記第１のＬＥＤ素子のアノード側が接続され、前記第１のＬＥＤランプの前記他端は、前記第１のＬＥＤ素子のカソード側が接続されていることを特徴とする。
［００２１］
前記車両用ＬＥＤランプ点灯回路において、
一端が前記基準ノードに接続され、他端が前記第２の接点に接続されたコンデンサをさらに備え、
前記スイッチ装置を前記第１の状態に切り換えることにより、前記電源線から前記第１のＬＥＤランプに電流を流して前記第１のＬＥＤランプを点灯させつつ、前記コンデンサを充電し、
前記スイッチ装置を前記第２の状態に切り換えることにより、前記電源線と前記第１のＬＥＤランプの前記一端との間を遮断して前記第１のＬＥＤランプを消灯させるとともに、前記第１のＬＥＤランプの前記一端と前記第１のＬＥＤランプの前記他端とを同電位にさせつつ、前記コンデンサを放電させて、前記基準ノードと前記第２の接点との間に電流を流すことを特徴とする。
［００２２］
［００２３］
［００２４］
本発明の一態様に係る実施例に従った車両用ＬＥＤランプ点灯装置は、
車両に積載されるＬＥＤランプの点灯を制御する車両用ＬＥＤランプ点灯
【手続補正５】
【補正対象書類名】明細書
【補正対象項目名】０００５
【補正方法】変更
【補正の内容】
【０００５】
装置であって、
少なくとも１つ以上の第１のＬＥＤ素子で構成され、一端が基準ノードに接続され、他端が接地線に接続された第１のＬＥＤランプと、
前記基準ノードと、電源線に接続された第１の接点との間を導通して前記電源線と前記第１のＬＥＤランプの前記一端との間に電流が流れる第１の状態と、前記基準ノードと、前記第１のＬＥＤランプの前記他端に接続された第２の接点との間を導通して前記第１のＬＥＤランプの前記一端と前記第１のＬＥＤランプの前記他端とを同電位にし、且つ前記電源線と前記第１のＬＥＤランプの前記一端との間を遮断した第２の状態とを切り換えるスイッチ装置と、
前記電源線に一定の電源電圧を供給する電源回路と、を備えることを特徴とする。
［００２５］
本発明の一態様に係る実施例に従った車両用ＬＥＤランプ点灯回路の制御方法は、
車両に積載されるＬＥＤランプの点灯を制御する車両用ＬＥＤランプ点灯回路であって、少なくとも１つ以上の第１のＬＥＤ素子で構成され、一端が基準ノードに接続され、他端が接地線に接続された第１のＬＥＤランプと、前記基準ノードと、電源線に接続された第１の接点との間を導通して前記電源線と前記第１のＬＥＤランプの前記一端との間に電流が流れる第１の状態と、前記基準ノードと、前記第１のＬＥＤランプの前記他端に接続された第２の接点との間を導通して前記第１のＬＥＤランプの前記一端と前記第１のＬＥＤランプの前記他端とを同電位にし、且つ前記電源線と前記第１のＬＥＤランプの前記一端との間を遮断した第２の状態とを切り換えるスイッチ装置と、を備える車両用ＬＥＤランプ点灯回路の制御方法において、
前記スイッチ装置を前記第１の状態に切り換えることにより、前記電源線から前記第１のＬＥＤランプに電流を流して前記第１のＬＥＤランプを点灯させ、
前記スイッチ装置を前記第２の状態に切り換えることにより、前記電源線
【手続補正６】
【補正対象書類名】明細書
【補正対象項目名】０００６
【補正方法】変更
【補正の内容】
【０００６】
と前記第１のＬＥＤランプの前記一端との間を遮断して前記第１のＬＥＤランプを消灯させるとともに、前記第１のＬＥＤランプの前記一端と前記第１のＬＥＤランプの前記他端とを同電位にすることを特徴とする。
発明の効果
［００２６］
本発明の一態様に係る車両用ＬＥＤランプ点灯回路は、車両に積載されるＬＥＤランプの点灯を制御する車両用ＬＥＤランプ点灯回路であって、一端が、電源電圧が供給される電源線に接続され、他端が第１の接点に接続された第１の抵抗と、少なくとも１つ以上の第１のＬＥＤ素子で構成され、一端が基準ノードＴＢに接続され、他端が、第２の接点Ｔ２及び接地された接地線に接続された第１のＬＥＤランプと、基準ノードＴＢと、第１の接点との間が導通した第１の状態と、基準ノードＴＢと、第２の接点Ｔ２との間が導通した第２の状態とを切り換える被水スイッチ装置と、を備える。
【手続補正７】
【補正対象書類名】明細書
【補正対象項目名】０００９
【補正方法】変更
【補正の内容】
【０００９】
［図１４］図１４は、従来のＬＥＤランプ点灯回路の構成の一例を示す図である。
発明を実施するための最良の形態
［００３３］
以下、本発明に係る各実施形態について図面に基づいて説明する。
第１の実施形態
［００３４］
第１の実施形態に係る車両用ＬＥＤランプ点灯回路１００は、二輪車等の車両（図示せず）に積載されるＬＥＤランプの点灯を制御する（図１）。なお、図１の例は、スイッチ装置ＳＷにおいて、基準ノードＴＢと、第１、第２の接点Ｔ１、Ｔ２とが接続されていない状態を示している。
［００３５］
この車両用ＬＥＤランプ点灯回路１００は、一端が電源線ＶＣＣに接続され、他端が第１の接点Ｔ１に接続された第１の抵抗Ｒ１と、一端が基準ノードＴＢに接続され、他端が第２の接点Ｔ２及び接地線ＧＮＤに接続された第１のＬＥＤランプＬ１と、第１のＬＥＤランプＬ１に流れる電流を制御する被水スイッチ装置（被水することにより、第１の接点Ｔ１および第２の接点Ｔ２が被水して、第１の接点Ｔ１と第２の接点Ｔ２との間が電気的に導通して（水の抵抗で接続され）リーク電流が流れるスイッチ装置）ＳＷと、を備える（図１）。
［００３６］
この車両用ＬＥＤランプ点灯回路１００は、例えば、既述の二輪車等の車両に積載される。
［００３７］
電源線ＶＣＣは、電源電圧が供給される。なお、この電源電圧の値は、一定の値に制御されている。
［００３８］
接地線ＧＮＤは、接地されている。なお、この接地の電位は、０Ｖに限定されるものではなく、少なくともＬＥＤランプを点灯可能なように、電源電圧より低い固定の電位に設定される。
［００３９］
また、第１のＬＥＤランプＬ１は、少なくとも１つ以上の第１のＬＥＤ素子Ｄ１で構成されている。そして、第１のＬＥＤランプＬ１の一端は、第１のＬＥＤ素子Ｄ１のアノード側が接続され、第１のＬＥＤランプＬ１の他端は、第１のＬＥＤ素子Ｄ１のカソード側が接続されている。なお、図１では、２つの第１のＬＥＤ素子Ｄ１が直列に接続された第１のＬＥＤランプＬ１の構成例を示している。
［００４０］
この第１のＬＥＤランプＬ１は、例えば、既述の二輪車のヘッドライト、
【国際調査報告】
2016157319.tif 000017
2016157319.tif 000018
2016157319.tif 000019
2016157319.tif 000020